(57)【要約】    【課題】  番組の視聴と録画（信号記録）が同時に可能であり且つ放送サービスエリア間を移動しても番組を継続的に受信可能な小型で単純な構造のデジタル放送受信装置を提供する。    【解決手段】  受信したデジタル放送信号から所望の論理チャンネルを選局し、選局した論理チャンネルのデジタル信号を出力する第１、第２及び第３のデジタルチューナと、第１、第２及び第３のデジタルチューナのいずれかで受信した番組を記録メディアに記録し、記録された番組を再生する記録再生手段とを有し、第１、第２及び第３のデジタルチューナのうち２つを番組の受信に使用し、残りの１つのデジタルチューナで電波状態を監視するデジタル放送受信記録再生装置を提供する。【選択図】    図１
2006304073.tif 000002
【特許請求の範囲】
【請求項１】
移動体のデジタル放送受信記録再生装置であって、
受信したデジタル放送信号から所望の論理チャンネルを選局し、選局した論理チャンネルのデジタル信号を出力する第１、第２及び第３のデジタルチューナと、
前記第１、第２及び第３のデジタルチューナのいずれかで受信した番組を記録メディアに記録し、記録された番組を再生する記録再生手段とを有し、
前記第１、第２及び第３のデジタルチューナのうち２つを番組の受信に使用し、残りの１つのデジタルチューナで電波状態を監視することを特徴とするデジタル放送受信記録再生装置。
【請求項２】
前記デジタル放送受信記録再生装置は、第１、第２及び第３のデジタルチューナの１つを他の２つのデジタルチューナの少なくとも１つと互いに代替的に使用することを特徴とする請求項１に記載のデジタル放送受信記録再生装置。
【請求項３】
前記デジタル放送受信記録再生装置は、第１、第２及び第３のデジタルチューナの１つから出力される第１デジタル信号と、
前記第１デジタル信号を出力した第１、第２及び第３のデジタルチューナの１つとは別の１つから出力される第２デジタル信号とを受け取り、前記第１デジタル信号または前記第２デジタル信号を選択して出力するチューナ切替手段を有することを特徴とする請求項２に記載のデジタル放送受信記録再生装置。
【請求項４】
前記デジタル放送受信記録再生装置は、前記チューナ切替手段からの出力を前記記録再生手段へ送ることを特徴とする請求項３に記載のデジタル放送受信記録再生装置。
【請求項５】
前記デジタル放送受信記録再生装置は、前記チューナ切替手段に出力が供給される２つのデジタルチューナの一方からのデジタル信号と、前記チューナ切替手段に出力が供給されないデジタルチューナからのデジタル信号とを受け取り、いずれか一方を選択して出力する別のチューナ切替手段を有することを特徴とする請求項４に記載のデジタル放送受信記録再生装置。
【請求項６】
前記デジタル放送受信記録再生装置は、前記移動体が現在地の放送サービスエリアと、この放送サービスエリアに隣接した隣接放送サービスエリアとの境界領域にあるとき、前記隣接放送サービスエリアのチャンネル情報を取得し、前記第１、第２及び第３のデジタルチューナの少なくとも１つが現在の放送サービスエリアで受信している番組と同じ番組を放送している前記隣接放送サービスエリアの論理チャンネルを特定する論理チャンネル特定手段を有することを特徴とする請求項１から請求項５のいずれか一項に記載のデジタル放送受信記録再生装置。
【請求項７】
前記デジタル放送受信記録再生装置は、前記第１、第２及び第３のデジタルチューナのいずれかが現在の放送サービスエリアで受信している番組と同じ番組を放送している前記隣接放送サービスエリアの論理チャンネルの有無を判断する判断手段と、この判断手段で前記論理チャンネルが存在しないと判断された場合そのことを利用者に通知する通知手段を有することを特徴とする請求項６に記載のデジタル放送受信記録再生装置。
【請求項８】
前記デジタル放送受信記録再生装置は、前記移動体の位置を検出する位置検出手段を有し、前記移動体が前記放送サービスエリアの境界領域に位置するか否かを前記位置検出手段から供給される前記移動体の位置情報に基づいて判断することを特徴とする請求項６または請求項７のいずれか一項に記載のデジタル放送受信記録再生装置。
【請求項９】
前記デジタル放送受信記録再生装置は、前記現在の放送サービスエリアと前記隣接放送サービスエリアの放送電波強度を検出する電波強度検出手段を備え、この電波強度検出手段で検出される電波強度で前記移動体が前記放送サービスエリアの境界領域に位置するか否かを判断することを特徴とする請求項６または請求項７のいずれか一項に記載のデジタル放送受信記録再生装置。
【請求項１０】
前記デジタル放送受信記録再生装置は、所望の番組の番組記録をするため前記番組が放送される論理チャンネル及び放送時間を指定した予約内容を記憶する記憶手段を有し、
前記移動体が現在の放送サービスエリアとそれに隣接する隣接放送サービスエリアとの境界領域にあるとき、前記隣接放送サービスエリアのチャンネル情報を取得し、前記予約内容に定めた番組を放送する前記隣接放送サービスエリアの論理チャンネルを特定し、前記移動体が前記隣接放送サービスエリアに移動したと判断されたとき、前記記憶手段に保存された前記予約内容を書換え、特定した前記隣接放送サービスエリアの論理チャンネルを指定することを特徴とする請求項１から請求項９のいずれか一項に記載のデジタル放送受信記録再生装置。
【請求項１１】
前記デジタル放送受信記録再生装置は、前記予約内容に指定された番組が前記隣接放送サービスエリアの論理チャンネルに無いと判断されると、利用者に通知する通知手段を有することを特徴とする請求項１０に記載のデジタル放送受信記録再生装置。
【発明の詳細な説明】
【技術分野】
【０００１】
本発明は、デジタル放送の受信及び記録が可能なデジタル放送受信記録再生装置に関する。特に自動車などの移動体に搭載されたデジタル放送受信記録再生装置に関する。
【背景技術】
【０００２】
近年、地上波デジタルテレビ放送（単に地上波デジタル放送とも言う）が実用化されている。地上波デジタル放送でも、地上波アナログ放送と同様に、より広い放送エリアをカバーするため親局と複数の中継局（これらを送信局と呼ぶ）とで送信ネットワークを形成し、各送信局はその周囲に対応する放送サービスエリアを有する。送信局間の干渉を防止するため、同じ送信ネットワークに属していても隣接する送信局では使用する物理チャンネル（放送周波数帯域）が異なるのが通常である。そのため隣接する送信局（即ち隣接する放送サービスエリア）では同一の番組が異なる物理チャンネルで放送されることがある。その結果、例えば自動車で移動している場合のように、移動しながら放送を受信する場合、隣接する一方の放送サービスエリアから他方の放送サービスエリアへ移動すると、一方の放送サービスエリアで受信していた番組が他方の放送サービスエリアでは受信できなくなり、あらたに選局が必要となる。このような問題は、異なる送信ネットワークに属する放送サービスエリア間を移動する場合にも生じ得る。
【０００３】
このように放送サービスエリアをまたがって移動したときに番組が途切れるのを防止し、放送サービスエリア間の移動に合わせて自動的に選局してシームレスな受信を可能にするため、２つのチューナを有するデジタル放送受信装置が提案されている（特許文献１及び特許文献２参照）。このものでは、第１の放送サービスエリアから隣接する第２の放送サービスエリアへ向かって移動する際、第１の放送サービスエリア内では、所望の番組を放送している第１の放送サービスエリアにおけるチャンネル（論理チャンネル）を第１のチューナで選局して、所定の処理の結果得られた映像及び音声信号をディスプレイ及びスピーカに出力する一方、同じ番組を放送している第２の放送サービスエリアのチャンネルを第２のチューナで選局する。そして、第２の放送サービスエリア内に移動して例えば第１のチューナで受信している放送波の強度が所定の強度以下となった場合、第１のチューナで得られた映像及び音声信号を第２のチューナで得られた映像及び音声信号に切り替えてディスプレイ及びスピーカに出力することで、番組の継続的な視聴を可能とする。車などの移動体の位置及び進行方向を検知するためＧＰＳなどを利用した位置検出回路を用いることも提案されている（特許文献１参照）。
【０００４】
一方、最近では車にもハードディスクなどの大容量の記憶装置が搭載され、視聴している番組と同じまたは別の番組をそのような記憶装置に録画したいという要望が高まっている。視聴と録画を同時に行いつつ、隣接する放送サービスエリア間をまたいで移動してもシームレスな番組の受信を可能とするには、視聴用に２つ、録画用に２つの合計４つのチューナが必要となる。しかしながら、そのように４つのチューナを設けることはデジタル放送受信装置の複雑化、大型化及びコスト高騰といった問題を生じ得る。
【特許文献１】特開２００１−７７７１２号公報
【特許文献２】特開２００４−３２０４０６号公報
【発明の開示】
【発明が解決しようとする課題】
【０００５】
従って、本発明の主な目的は、番組の視聴と録画（信号記録）が同時に可能であり且つ放送サービスエリア間を移動しても番組を継続的に受信可能な小型で単純な構造のデジタル放送受信装置を提供することである。
【課題を解決するための手段】
【０００６】
上記課題を解決するために、本発明によると、移動体のデジタル放送受信記録再生装置であって、受信したデジタル放送信号から所望の論理チャンネルを選局し、選局した論理チャンネルのデジタル信号を出力する第１、第２及び第３のデジタルチューナと、第１、第２及び第３のデジタルチューナのいずれかで受信した番組を記録メディアに記録し、記録された番組を再生する記録再生手段とを有し、第１、第２及び第３のデジタルチューナのうち２つを番組の受信に使用し、残りの１つのデジタルチューナで電波状態を監視することを特徴とするデジタル放送受信記録再生装置が提供される。第１、第２及び第３のデジタルチューナが出力するデジタル信号はテレビ番組の映像信号及び音声信号やラジオ番組の音声信号をデジタル化したものであり、番組情報などのテキストデータのような付加情報データ信号を含むこともできる。各デジタルチューナから出力されるデジタル信号は、符号化された（即ちデータ圧縮された）ものとすることも、あるいは、復号化された（即ちデータ伸張された）ものとすることもできる。即ち、各デジタルチューナは復号化機能を有することも、有さないこともできる。記録メディアは、例えばハードディスク、半導体記憶装置、ＤＶＤなど任意の適切なものとすることができる。記録再生手段は、第１、第２及び第３のデジタルチューナが出力するデジタル信号をそのまま記録メディアに記録することも、或いは、所望に応じて適切な処理を施してから記録することもできる。また記録再生手段は、必要な場合、記録メディアに記録されている信号の形式や出力装置の種類に合わせて、記録メディアから読み出した信号に対し適切な信号処理を行うことが可能である。
【０００７】
本発明のデジタル放送受信記録再生装置は、第１、第２及び第３のデジタルチューナの１つを他の２つのデジタルチューナの少なくとも１つと互いに代替的に使用することができる。例えば、第１のデジタルチューナと第２のデジタルチューナを互いに代替的に使用する場合、第１のデジタルチューナを録画用に使用しているときは第２のデジタルチューナを電波監視用に用い、第１のデジタルチューナを電波監視用に用いるときは第２のデジタルチューナを録画用に用いることができる。
【０００８】
また、デジタル放送受信記録再生装置は、第１、第２及び第３のデジタルチューナの１つから出力される第１デジタル信号と、第１デジタル信号を出力した第１、第２及び第３のデジタルチューナの１つとは別の１つから出力される第２デジタル信号とを受け取り、第１デジタル信号または第２デジタル信号を選択して出力するチューナ切替手段を有するとよい。例えば、第１のデジタルチューナと第２のデジタルチューナとをチューナ切替手段で切り替えて使用する場合、これら第１及び第２のデジタルチューナから出力されるデジタル信号が第１及び第２デジタル信号となる。同様に、例えば、第２のデジタルチューナと第３のデジタルチューナとをチューナ切替手段で切り替えて使用する場合、これら第２及び第３のデジタルチューナから出力されるデジタル信号が第１及び第２デジタル信号となる。
【０００９】
本デジタル放送受信記録再生装置において、チューナ切替手段からの出力を記録再生手段へ送るものとすることができる。即ち、信号記録に用いるデジタルチューナを切り替えて使用することができる。
【００１０】
更に、デジタル放送受信記録再生装置は、チューナ切替手段に出力が供給される２つのデジタルチューナの一方からのデジタル信号と、チューナ切替手段に出力が供給されないデジタルチューナからのデジタル信号とを受け取り、いずれか一方を選択して出力する別のチューナ切替手段を有することができる。例えば、第１のデジタルチューナと第２のデジタルチューナの出力がチューナ切替手段に供給される場合、第１及び第２のデジタルチューナの一方と第３のデジタルチューナの出力（即ちデジタル信号）を別のチューナ切替手段に供給するものとすることができる。
【００１１】
更に本デジタル放送受信記録再生装置は、移動体が現在地の放送サービスエリアと、この放送サービスエリアに隣接した隣接放送サービスエリアとの境界領域にあるとき、隣接放送サービスエリアのチャンネル情報を取得し、第１、第２及び第３のデジタルチューナの少なくとも１つが現在の放送サービスエリアで受信している番組と同じ番組を放送している隣接放送サービスエリアの論理チャンネルを特定する論理チャンネル特定手段を有することができる。放送サービスエリアの境界領域は、例えば現在の放送サービスエリアと隣接放送サービスエリアの境界から所定の距離内の領域として定めることができる。或いは、現在の放送サービスエリアに対応する送信局の有効受信領域と、隣接する送信局の有効受信領域が互いに重なる領域として定めることもできる。隣接放送サービスエリアのチャンネル情報は、好ましくは、隣接放送サービスエリアの物理チャンネル配置、論理チャンネル配置及び電子番組ガイド（ＥＰＧ）を含む。
【００１２】
隣接放送サービスエリアのチャンネル情報は、第１、第２及び第３のデジタルチューナのうち電波監視に用いられるデジタルチューナで隣接放送サービスエリアのチャンネルスキャンを行うことにより取得することができる。或いは、現在の放送サービスエリアと隣接放送サービスエリアとが同一送信ネットワークに属する場合、現在の放送サービスエリアの番組の受信に用いているデジタルチューナが受信している放送電波から取得することも可能である。また、第１、第２及び第３のデジタルチューナのうち非使用中（または電波監視用）のデジタルチューナで、隣接放送サービスエリアの特定された少なくとも１つの論理チャンネルの１つを受信することができる。
【００１３】
更に、本発明のデジタル放送受信記録再生装置は、第１、第２及び第３のデジタルチューナのいずれかが現在の放送サービスエリアで受信している番組と同じ番組を放送している隣接放送サービスエリアの論理チャンネルの有無を判断する判断手段と、この判断手段で論理チャンネルが存在しないと判断された場合そのことを利用者に通知する通知手段を有することができる。そのような通知は、音声で行うことも画面への表示で行うことも、或いはその両方とすることもできる。
【００１４】
また、本発明のデジタル放送受信記録再生装置は、移動体の位置を検出する位置検出手段を有し、移動体が放送サービスエリアの境界領域に位置するか否かを位置検出手段から供給される移動体の位置情報に基づいて判断することができる。そのような位置検出手段は例えばＧＰＳを用いたものとすることができる。また、デジタル放送受信記録再生装置は、現在の放送サービスエリアと隣接放送サービスエリアの放送電波強度を検出する電波強度検出手段を備え、この電波強度検出手段で検出される電波強度で移動体が放送サービスエリアの境界領域に位置するか否かを判断することもできる。
【００１５】
本発明のデジタル放送受信記録再生装置は、所望の番組の番組記録をするためその番組が放送される論理チャンネル及び放送時間を指定した予約内容を記憶する記憶手段を有し、移動体が現在の放送サービスエリアとそれに隣接する隣接放送サービスエリアとの境界領域にあるとき、隣接放送サービスエリアのチャンネル情報を取得し、予約内容に定めた番組を放送する隣接放送サービスエリアの論理チャンネルを特定し、移動体が隣接放送サービスエリアに移動したと判断されたとき、記憶手段に保存された予約内容を書換え、特定した隣接放送サービスエリアの論理チャンネルを指定するものとすることができる。予約内容を記憶する記憶手段は、例えばハードディスク、半導体記憶装置、ＤＶＤなど任意の適切なものとすることができる。
【００１６】
また、デジタル放送受信記録再生装置は、予約内容に指定された番組が隣接放送サービスエリアの論理チャンネルに無いと判断されると、利用者に通知する通知手段を有することが好ましい。そのような通知は、音声で行うことも画面への表示で行うことも、或いはその両方とすることもできる。
【発明の効果】
【００１７】
本発明のデジタル放送受信記録再生装置は、３つのデジタルチューナを有し、そのうち２つを番組の受信に使用し、残りの１つのデジタルチューナで電波状態を監視するものとしたので、番組を受信している２つのデジタルチューナで異なる番組の記録と視聴が同時に可能であるとともに、電波状態監視用のデジタルチューナで、現在の放送サービスエリアに隣接する隣接放送サービスエリアのチャンネル情報を予め取得して、移動体が隣接放送サービスエリアに移動した際、速やかに所望のチャンネルを受信して番組受信を継続的に行うことが可能である。また、３つのデジタルチューナしか使用しないため、装置の構成を極力単純化し、小型のデジタル放送受信記録再生装置を実現することができる。
【００１８】
第１、第２及び第３のデジタルチューナの１つを他の２つのデジタルチューナの少なくとも１つと互いに代替的に使用するものとすると、例えば３つのデジタルチューナのうちの１つが現在の放送サービスエリアで受信している番組と同じ番組を放送している隣接放送サービスエリアの論理チャンネルをそのデジタルチューナと代替的に使用されるデジタルチューナで予め受信しておくことで、隣接放送サービスエリアに移動した際、これらデジタルチューナを切り替えて、番組のより一層シームレスな受信を行うことができる。
【００１９】
デジタル放送受信記録再生装置が、第１、第２及び第３のデジタルチューナの１つから出力される第１デジタル信号と、第１デジタル信号を出力した第１、第２及び第３のデジタルチューナの１つとは別の１つから出力される第２デジタル信号とを受け取り、第１デジタル信号または第２デジタル信号を選択して出力するチューナ切替手段を有するものとすると、第１デジタル信号を出力するデジタルチューナと第２デジタル信号を出力するデジタルチューナを代替的に使用することができる。この場合、チューナ切替手段からの出力を記録再生手段へ送るものとすると、信号記録に用いるデジタルチューナを適宜切り替えることができ、放送サービスエリアをまたいで移動してもシームレスな信号記録を行うことができる。
【００２０】
更に、デジタル放送受信記録再生装置は、チューナ切替手段に出力が供給される２つのデジタルチューナの一方からのデジタル信号と、チューナ切替手段に出力が供給されないデジタルチューナからのデジタル信号とを受け取り、いずれか一方を選択して出力する別のチューナ切替手段を有することができる。別のチューナ切替手段からの出力を番組の視聴（即ち、テレビ番組の視聴やラジオ番組の聴取）に用いる場合、この別のチューナ切替手段で適宜チューナを切り替えることで、放送サービスエリアをまたいで移動してもシームレスな番組視聴を行うことができる。
【００２１】
更に移動体が現在の放送サービスエリアと隣接放送サービスエリアとの境界領域にあるとき、隣接放送サービスエリアのチャンネル情報を取得し、第１、第２及び第３のデジタルチューナの少なくとも１つが現在の放送サービスエリアで受信している番組と同じ番組を放送している隣接放送サービスエリアの論理チャンネルを特定する論理チャンネル特定手段を有するものとすると、隣接放送サービスエリアに移動する前に予め受信すべきチャンネルを特定できるため、隣接放送サービスエリアに移動した際、特定されたチャンネルを速やかに受信して継続的な番組の受信が可能となる。
【００２２】
隣接放送サービスエリアのチャンネル情報を、第１、第２及び第３のデジタルチューナのうち電波監視に用いられるデジタルチューナで隣接放送サービスエリアのチャンネルスキャンを行うことにより取得するものとすると、現在の放送サービスエリアと隣接放送サービスエリアが異なる送信ネットワークに属する場合でも隣接放送サービスエリアのチャンネル情報を取得すことができる。現在の放送サービスエリアと隣接放送サービスエリアとが同一送信ネットワークに属する場合、現在の放送サービスエリアの番組の受信に用いているデジタルチューナが受信している放送電波から取得することもでき、それによって、不要なスキャン動作を省くことができる。第１、第２及び第３のデジタルチューナのうち非使用中（または電波監視用）のデジタルチューナで、隣接放送サービスエリアの特定された少なくとも１つの論理チャンネルの１つを受信するものとすると、隣接放送サービスエリアに移動した際、番組受信中のデジタルチューナと、非使用中のデジタルチューナを切り替えて使用することで、シームレスな番組受信が可能となる。
【００２３】
第１、第２及び第３のデジタルチューナのいずれかが現在の放送サービスエリアで受信している番組と同じ番組を放送している隣接放送サービスエリアの論理チャンネルの有無を判断する判断手段と、この判断手段で論理チャンネルが存在しないと判断された場合そのことを利用者に通知する通知手段を有するものとすると、利用者は隣接放送サービスエリアへの移動を先へ延ばすなどの適切な行動を取ることが可能となる。
【００２４】
デジタル放送受信記録再生装置が、移動体の位置を検出する位置検出手段を有し、移動体が放送サービスエリアの境界領域に位置するか否かを位置検出手段から供給される移動体の位置情報に基づいて判断するものとすると、境界領域にあるか否かを容易に判断することができる。また、デジタル放送受信記録再生装置が、現在の放送サービスエリアと隣接放送サービスエリアの放送電波強度を検出する電波強度検出手段を備え、この電波強度検出手段で検出される電波強度で移動体が放送サービスエリアの境界領域に位置するか否かを判断するものとすると、天候などによって変化し得る電波の受信状態に対応することができ、例えば隣接放送サービスエリアの受信電波強度が低い状態で隣接放送サービスエリアのチャンネル情報を得るべくチャンネルスキャンを行うのを防止することができる。
【００２５】
本発明のデジタル放送受信記録再生装置が、所望の番組の番組記録をするためその番組が放送される論理チャンネル及び放送時間を指定した予約内容を記憶する記憶手段を有する場合、移動体が現在の放送サービスエリアとそれに隣接する隣接放送サービスエリアとの境界領域にあるとき、隣接放送サービスエリアのチャンネル情報を取得し、予約内容に定めた番組を放送する隣接放送サービスエリアの論理チャンネルを特定し、移動体が隣接放送サービスエリアに移動したと判断されたとき、記憶手段に保存された予約内容を書換え、特定した隣接放送サービスエリアの論理チャンネルを指定するものとすると、放送サービスエリアを移動しても所望の番組の録画が可能となる。
【００２６】
また、デジタル放送受信記録再生装置が、予約内容に指定された番組が隣接放送サービスエリアの論理チャンネルに無いと判断されると、利用者に通知する通知手段を有するものとすると、例えばテレビ番組の録画予約を設定している場合、その番組を放送していない隣接放送サービスエリアに不所望に移動するのを防止することができる。
【００２７】
本発明の特徴、目的及び作用効果は、添付図面を参照しつつ実施例について説明することにより一層明らかとなるだろう。
【発明を実施するための最良の形態】
【００２８】
以下、本発明の実施の形態を、図面を参照しながら説明する。
【００２９】
図１は、本発明に基づくデジタル放送受信記録再生装置の実施例を示すブロック図である。このデジタル放送受信記録再生装置１００は、第１、第２及び第３のデジタルチューナ１０１、１０２、１０３と、これらのデジタルチューナ１０１、１０２、１０３を制御する制御回路１０８を有する。本実施例では、各デジタルチューナ１０１、１０２、１０３は、送信局からのデジタル放送信号を受信するべくそれぞれアンテナ１０１ａ、１０２ａ、１０３ａを有し、第１、第２、第３の受信系統を構成している。
【００３０】
地上波デジタル放送では、１つの物理チャンネルに１または複数の論理チャンネルを割り当てることができ、これら論理チャンネルがテレビなどの受信装置で選択されるチャンネルに対応する。例えば、高画質放送の場合は１つの物理チャンネルが１つの論理チャンネルのみを有し、標準画質放送の場合は３つの論理チャンネルを含むようにすることが可能である。各論理チャンネルの番組の映像信号、音声信号はデジタル化され且つデータ量削減等のため高能率符号化される。映像信号及び音声信号に加えて例えば番組情報などのテキストデータのような付加情報データ信号を含むこともできる。例えば、映像信号はＭＰＥＧ−２  ｖｉｄｅｏ、音声信号はＭＰＥＧ−２  ＡＡＣ、付加情報データ信号はＢＭＬによって符号化することができる。これら符号化されたデジタル信号は例えばＭＰＥＧ−２  ｓｙｓｔｅｍに準拠した方式で多重化されて各論理チャンネルの符号化データが形成される。
【００３１】
１つの物理チャンネルに複数の論理チャンネルを割り当てる場合、これら論理チャンネルの符号化データの多重化がなされる。そして、多重化された符号化データは例えば直交周波数分割多重（ＯＦＤＭ）方式によって関連する周波数の搬送波をデジタル変調して変調信号を形成し、この変調信号は増幅されて送信局から送信され放送信号（放送電波）となる。
【００３２】
各デジタルチューナ１０１、１０２、１０３は受信した放送信号から、上記の逆のプロセスで、制御回路１０８によって指定された論理チャンネルのデジタル信号（即ち、デジタル化された映像、音声及び／または付加情報データ信号）１３１、１３２、１３３を生成することができる。即ち、各デジタルチューナ１０１、１０２、１０３は、受信した放送信号からの所望の物理チャンネルの選局、選局した物理チャンネルの変調信号の復調、復調した信号からの所望の論理チャンネルの分離（多重分離）、及び分離した論理チャンネルの符号化データの復号化を行う機能を有する。尚、所望の物理チャンネルの選局から所望の論理チャンネルの分離までを含めて論理チャンネルの選局ということもある。また、各チューナ１０１、１０２、１０３は必ずしも復号化（即ち、データ伸張）機能を有さなくてもよく、その場合、出力されるデジタル信号１３１、１３２、１３３は多重分離後の復号化前の（即ち圧縮された状態の）信号となる。
【００３３】
また、デジタルチューナ１０１、１０２、１０３は受信した放送電波の受信状態を示す第１、第２及び第３の受信情報１３４、１３５、１３６をそれぞれ制御回路１０８へと供給する。即ち、これらデジタルチューナ１０１、１０２、１０３は電波強度検出手段として機能する。
【００３４】
地上波デジタル放送では、ある送信局からの放送信号にはその送信局が属する送信ネットワークの情報を記述したネットワーク情報テーブル（ＮＩＴ）が含まれており、それを抽出することでその送信ネットワークの各送信局の物理チャンネル配置及び各物理チャンネルにおける論理チャンネル配置を知ることができる。また放送信号にはその電子番組ガイド（ＥＰＧ）も含まれているのが通常である。デジタルチューナ１０１、１０２、１０３はそれぞれ受信した放送信号から物理及び論理チャンネル配置とＥＰＧを抽出し、第１、第２、第３のチャンネル情報１３７、１３８、１３９として制御回路１０８に接続されたチャンネルメモリ１０４へと送る。
【００３５】
本実施例では、第１のデジタルチューナ１０１は信号記録用であり、そのデジタル出力信号１３１は第１のチューナ切替回路（またはチューナ切替手段）１０６へと送られる。第３のデジタルチューナ１０３は視聴用であり、そのデジタル出力信号１３３は第２のチューナ切替回路（または別のチューナ切替手段）１０７へと送られる。第２のデジタルチューナは放送電波監視用であり、また、信号記録にも視聴にも用いることができるようにそのデジタル出力信号１３２は第１のチューナ切替回路１０６と第２のチューナ切替回路１０７の両方へ送られる。従って、第１のチューナ切替回路に対しては、第１及び第２のデジタルチューナ１０１、１０２から出力されるデジタル信号１３１、１３２が第１及び第２デジタル信号となる。また、第２のチューナ切替回路に対しては、第２及び第３のデジタルチューナ１０２、１０３から出力されるデジタル信号１３２、１３３が第１及び第２デジタル信号となる。尚、本明細書において、デジタル放送される番組は映像信号及び音声信号を含むテレビ番組であっても音声信号のみを含むラジオ番組であってもよく、「信号記録」はテレビ番組の録画またはラジオ番組の録音のどちらでもよい。また、「視聴」にはテレビ番組の視聴だけでなくラジオ番組の聴取も含まれるものとする。
【００３６】
第１のチューナ切替回路１０６は制御回路１０８によって制御され、入力された第１のデジタルチューナ１０１のデジタル信号１３１と第２のデジタルチューナ１０２のデジタル信号１３２のいずれかを選択して記録器１０９へ送り、記録器１０９は受け取ったデジタル信号に所望に応じて適切な処理を施し、例えばハードディスク、半導体記憶装置、ＤＶＤなどからなる記録メディア１１０に記録する。例えばデジタル信号が復号化される前のものである場合、そのまま記録することも、復号化処理をした後に記録することもできる。またデジタル信号が暗号化されている場合には記録器１０９が暗号化処理機能（解読機能）を有するとよい。記録メディア１１０がアナログ記録用のものの場合は復号化したデジタル信号を更にデジタル／アナログ変換（Ｄ／Ａ変換）することもできる。
【００３７】
記録メディア１１０に記録された信号は利用者のリクエストに応じて再生器１１１により読み出されて出力信号選択回路１１３に送られる。再生器１１１は、必要な場合、記録されている信号の形式及び出力装置の種類に合わせて適切な信号処理を行うことができる。例えば、記録されているデータが復号化前のデジタル信号の場合復号化処理を行うことができる。出力装置がアナログ信号用のものである場合、Ｄ／Ａ変換を行ってアナログ信号を出力することも可能である。記録メディア１１０に記録されている信号をそのまま出力することも勿論可能である。このように本実施例では、記録器１０９及び再生器１１１が記録再生手段として働く。
【００３８】
第２のチューナ切替回路１０７は制御回路１０８によって制御され、入力された第２のデジタルチューナ１０２のデジタル信号１３２と第３のデジタルチューナ１０３のデジタル信号１３３のいずれかを選択して出力信号選択回路１１３に送る。所望に応じて、第２のチューナ切替回路１０７と出力信号選択回路１１３の間に信号処理回路１１２を設け、第２のチューナ切替回路１０７から出力されたデジタル信号に対して適切な信号処理を施すものとすることができる。例えば、第２及び第３のデジタルチューナが復号化前のデジタル信号を出力する場合、信号処理回路１１２で復号化処理を行うことができる。出力装置がアナログ信号用のものである場合、更にＤ／Ａ変換を行ってアナログ信号を出力することも可能である。
【００３９】
出力信号選択回路１１３は制御回路１０８によって制御され、再生器１１１または第２のチューナ切替回路１０７から入力された信号を所望の出力装置（例えば液晶ディスプレイ及び／またはスピーカ）へと送る。
【００４０】
また本実施例では、デジタル放送受信記録再生装置１００は、例えばＧＰＳを用いた位置測定回路（または位置検出手段）１０５を有し、そこから位置情報が制御回路１０８へ入力される。また、デジタル放送受信記録再生装置１００は、放送サービスエリアの配置情報を含む現在位置周辺の地図情報を保存する例えばハードディスク、半導体記憶装置、ＤＶＤなどからなるメモリ１４０を有する。このメモリ１４０はテレビ番組の録画予約を行う場合に、録画する番組、時間などを記憶する記憶手段としても働く。尚、記録メディア１１０とメモリ１４０は物理的に同じ記憶メディアであっても良い。
【００４１】
制御回路１０８は必要に応じて利用者に所望の情報を伝えるべくディスプレイやスピーカなどの出力装置（図示せず）へ出力信号１４１を送ることができる。本実施例では、出力信号１４１は出力信号選択回路１１３に入力される。これにより、出力信号選択回路１１３を制御して、出力信号１４１、再生器１１１からの信号及び第２のチューナ切替回路１０７からの信号を切り替えて出力装置へ送ることができる。
【００４２】
上記のように構成された本発明に基づくデジタル放送受信記録再生装置１００の動作について以下に説明する。
【００４３】
図２は、本実施例のデジタル放送受信記録再生装置１００を搭載した移動体２００とその周辺の２つの地上波デジタル放送送信局２０１、２０２を示した模式図である。本図において符号２０４は送信局２０１から送信される放送信号（電波）の有効受信範囲を、符号２０５は送信局２０１の放送サービスエリア（即ち、送信局２０１からの放送信号を受信すべき受信地域の範囲）を示している。同様に、符号２０６は送信局２０２から送信される電波の有効受信範囲を、符号２０７は送信局２０２の放送サービスエリアを示している。尚、有効受信範囲２０４、２０６及び放送サービスエリア２０５、２０７は送信局２０１、２０２の周囲の地形などに応じて定まるものであり、実際にはより複雑な形状となり得る。以下の説明では、移動体２００は現在送信局２０１の放送サービスエリア２０５内に位置し、隣接する送信局２０２の放送サービスエリア２０７に向かって移動しているものとする。また、送信局２０１と送信局２０２は異なる送信ネットワークに属するものと仮定する。
【００４４】
以下、デジタル放送受信記録再生装置１００がテレビ番組の視聴及び録画に用いられるものとして説明するが、ラジオ番組の場合についても同様に適用可能であることは勿論である。また特に断らない限り、チャンネルは論理チャンネルを指すものとする。
【００４５】
録画優先モード
録画優先モードの動作について図３のフローチャートを参照して説明する。このモードでは、第１のデジタルチューナ１０１と第２のデジタルチューナ１０２が代替的に録画に用いられる。即ち、第１のチューナ切替回路１０６の状態に応じて、第１のデジタルチューナ１０１の出力信号１３１と第２のデジタルチューナ１０２の出力信号１３２が代替的に記録器１０９に送られる。初期状態として、利用者は第１のデジタルチューナ１０１でチャンネルＣＨ２００を受信して録画し、第３のデジタルチューナ１０３でチャンネルＣＨ１００を受信して番組を視聴しているものとする。即ち、第１のチューナ切替回路１０６は第１のデジタルチューナ１０１の出力信号１３１を記録器１０９へ伝達する状態にあり、第２のチューナ切替回路１０７は第３のデジタルチューナ１０３の出力信号１３３を出力信号選択回路１１３に伝達する状態にあるものとする。第２のデジタルチューナ１０２の出力信号１３２はチューナ切替回路１０６、１０７のいずれも通過せず、従って、第２のデジタルチューナ１０２は非使用状態にある。
【００４６】
まず、移動体２００の現在位置が現在の放送サービスエリア２０５と隣接放送サービスエリア２０７の境界領域内にあるか否かを判定する（ステップ１）。境界領域は例えば隣接する放送サービスエリア２０５、２０７同士の境界から所定の距離内の領域として定められメモリ１４０内に記憶させることができる。或いは、隣接する送信局２０１、２０２の有効受信領域２０４、２０６が互いに重なる領域として定めることもできる。移動体２００の位置は位置測定回路１０５によって検出される。
【００４７】
ステップ１で放送サービスエリア２０５、２０７の境界領域内にないと判断された場合、ステップ２において、第２のデジタルチューナ１０２（即ち、非使用中のデジタルチューナ）は第１のデジタルチューナ１０１（即ち、録画に用いられているデジタルチューナ）と同じチャンネル（ＣＨ２００）を受信する。
【００４８】
続いてステップ３で、制御回路１０８は、第１のデジタルチューナ１０１からの受信情報１３４と第２のデジタルチューナ１０２からの受信情報１３５とを比較する。第２のデジタルチューナ１０２の方が受信状態が良好な場合、第１のチューナ切替回路１０６を制御して録画に用いるチューナを第１のデジタルチューナ１０１から第２のデジタルチューナ１０２へ切り替え（ステップ４）、そうでない場合は第１のデジタルチューナ１０１をそのまま録画に用いる。即ち、受信状態がより良好なデジタルチューナの出力信号（１３１または１３２）が記録器１０９へ供給されるように第１のチューナ切替回路１０６を制御する。ここで、第１のデジタルチューナ１０１のアンテナ１０１ａと第２のデジタルチューナ１０２のアンテナ１０２ａは移動体２００の異なった場所に配置することができるため、同じチャンネルを受信していても受信状態は異なり得ることに注意されたい。第１のデジタルチューナ１０１のアンテナ１０１ａと第２のデジタルチューナ１０２のアンテナ１０２ａが同一の場合は、ステップ２〜４を省略することもできる。
【００４９】
ステップ１で移動体２００の現在位置が放送サービスエリア２０５、２０７の境界領域内にあると判断された場合、第２のデジタルチューナ１０２は移動体２００の進行方向にある隣接する放送サービスエリア２０７におけるチャンネルをスキャンして、放送サービスエリア２０７の物理チャンネル配置、論理チャンネル配置及びＥＰＧを取得し、チャンネル情報１３８としてチャンネルメモリ１０４に送る（ステップ５）。尚、送信局２０１と送信局２０２が同じ送信ネットワークに属する場合は、制御回路１０８は、第１のデジタルチューナ１０１からのチャンネル情報１３７から放送サービスエリア２０７のチャンネル配置を知ることができるのでステップ５を省略することもできる。
【００５０】
続いてステップ６で制御回路１０８はチャンネルメモリ１０４に保存された放送サービスエリア２０７のチャンネル情報に基づいて、第１のデジタルチューナ１０１で現在受信しているのと同じ番組を放送しているチャンネルが放送サービスエリア２０７にあるか否かを判定する。即ち、制御回路１０８は隣接放送サービスエリアにおける所望の論理チャンネルの有無を判断する判断手段として働く。そのようなチャンネル（例えばＣＨ３００）があった場合、そのチャンネルを特定し、そのチャンネルが選局されるように第２のデジタルチューナ１０２を制御する（ステップ７）。即ち、制御回路１０８はデジタルチューナの少なくとも１つが現在の放送サービスエリアで受信しているのと同じ番組を放送している隣接放送サービスエリアの論理チャンネルを特定する論理チャンネル特定手段としても働く。第１のデジタルチューナ１０１で現在受信している番組を放送しているチャンネルが放送サービスエリア２０７にない場合は、音声及び／または表示などの適切な出力信号１４１によってその旨を利用者に通知する（ステップ８）。即ち、制御回路１０８は隣接放送サービスエリアに所望の論理チャンネルがないことを利用者に通知する通知手段として働く。
【００５１】
ステップ９において制御回路１０８は、チャンネルメモリ１０４に保存された放送サービスエリア２０７のチャンネル情報に基づいて、第３のデジタルチューナ１０３で現在受信しているのと同じ番組を放送しているチャンネルが放送サービスエリア２０７にあるか否かを判定する。そのようなチャンネル（例えばＣＨ４００）があった場合、そのチャンネル情報をメモリ１４０に記憶する（ステップ１０）。第３のデジタルチューナ１０３で現在受信している番組を放送しているチャンネルが放送サービスエリア２０７にない場合は、音声及び／または表示などの適切な出力信号１４１によってその旨を利用者に通知する（ステップ１１）。尚、現在視聴中の番組がない場合は、ステップ９〜ステップ１１は省略することができる。
【００５２】
ステップ１２において、制御回路１０８は、移動体２００が放送サービスエリア２０５から隣接する放送サービスエリア２０７に移動したか否かを判定する。これは、例えば第１のデジタルチューナ１０１からの受信情報１３４と第２のデジタルチューナ１０２からの受信情報１３５とを比較することによってなすことができる。
【００５３】
第２のデジタルチューナ１０２の方が受信状態が良好な場合、移動体２００が放送サービスエリア２０５から放送サービスエリア２０７に移動したものと判断して、ステップ１３において録画用チューナを第１のデジタルチューナ１０１から第２のデジタルチューナ１０２へ切り替える。また同時に、視聴用に用いられている第３のデジタルチューナ１０３の受信チャンネルをステップ１０でメモリ１４０に保存したチャンネル（例えばＣＨ４００）に切り替える。尚、ステップ６及び／またはステップ９において所望のチャンネルが放送サービスエリア２０７になかった場合は、ステップ１３における録画に用いるチューナの切り替え及び／または第３のデジタルチューナ１０３の受信チャンネルの切り替えを行わないものとすることができる。
【００５４】
ステップ４またはステップ１３において録画に用いられるデジタルチューナが第１のデジタルチューナ１０１から第２のデジタルチューナ１０２に切り替えられた場合、第１のデジタルチューナ１０１が隣接する放送サービスエリアのチャンネル情報取得に用いられる。従ってこの実施例では、第１のデジタルチューナ１０１と第２のデジタルチューナ１０２は交互に役割を替えて動作する。
【００５５】
ステップ３及びステップ１２における受信状態の比較では、過度に頻繁に比較結果が変化して録画に用いるデジタルチューナが切り替わることがないように（即ちチャタリングを生じないように）、現在録画に用いられているデジタルチューナの受信状態より他方のデジタルチューナの受信状態が明らかに良くなった場合のみ（例えば、各チューナの受信状態を表す変数値の差分が所定値以上になった場合のみ）切り替えが生じるようにすることが好ましい。
【００５６】
また、ステップ１２において移動体２００がサービスエリア２０５からサービスエリア２０７に移動したことを２つのデジタルチューナ１０１、１０２の受信状態を比較することで判定する代わりに、位置測定回路１０５からの位置情報に基づいて判定することも可能である。
【００５７】
上記したように、録画優先モードでは、隣接する放送サービスエリア２０５、２０７の境界領域において、車両の移動先にある放送サービスエリア２０７におけるチャンネル情報を予め取得し、録画に用いられているデジタルチューナ１０１で受信している番組と同じ番組を放送している隣接放送サービスエリア２０７のチャンネルを現在録画に用いられていないデジタルチューナ１０２で選局する。これによって、車両２００が現在の放送サービスエリア２０５から隣接する放送サービスエリア２０７に移動したと判断されたとき、録画に用いるデジタルチューナを隣接放送サービスエリアのチャンネルを選局済みのデジタルチューナ１０２に切り替えて実質的にシームレスな番組の録画を行うことができる。また、取得した隣接放送サービスエリア２０７のチャンネル情報に基づき、視聴用デジタルチューナ１０３が隣接放送サービスエリアで受信すべきチャンネルを予め特定することもできる。これによって、車両２００が現在の放送サービスエリア２０５から隣接放送サービスエリア２０７に移動したと判断されたとき、新たにチャンネルスキャンをすることなく、視聴用デジタルチューナ１０３のチャンネルを切り替え、概ねシームレスに番組の視聴を行うことが可能となる。また、３つのデジタルチューナ１０１、１０２、１０３しか有さないことから構造を単純化でき小型のデジタル放送受信記録再生装置を実現することができる。
【００５８】
視聴優先モード
視聴優先モードの動作について図４のフローチャートを参照して説明する。このモードでは、第３のデジタルチューナ１０３と第２のデジタルチューナ１０２が代替的に視聴に用いられる。即ち、第２のチューナ切替回路１０７の状態に応じて、第３のデジタルチューナ１０３の出力信号１３３と第２のデジタルチューナ１０２の出力信号１３２が代替的に出力信号選択回路１１３に送られる。初期状態は上記録画優先モードの説明における初期状態と同じ、即ち、利用者は第１のデジタルチューナ１０１でＣＨ２００を受信して録画し、第３のデジタルチューナ１０３でＣＨ１００を受信して番組を視聴しているものとする。第２のデジタルチューナ１０２は非使用状態にある。
【００５９】
まず、移動体２００の現在の位置が放送サービスエリア２０５（第１の放送サービスエリア）と放送サービスエリア２０７（第２の放送サービスエリア）の境界領域内にあるか否かを判定する（ステップ１０１）。これは録画優先モードのステップ１と同様に行うことができる。
【００６０】
ステップ１０１で放送サービスエリア２０５、２０７の境界領域内にないと判断された場合、ステップ１０２において、第２のデジタルチューナ１０２（即ち、非使用中のデジタルチューナ）は第３のデジタルチューナ１０３（即ち、視聴に用いられているデジタルチューナ）と同じチャンネル（ＣＨ１００）を受信する。
【００６１】
続いてステップ１０３で、制御回路１０８は、第３のデジタルチューナ１０３からの受信情報１３６と第２のデジタルチューナ１０２からの受信情報１３５とを比較する。第２のデジタルチューナ１０２の方が受信状態が良好な場合、第２のチューナ切替回路１０７を制御して視聴に用いるチューナを第１のデジタルチューナ１０１から第２のデジタルチューナ１０２へ切り替え（ステップ１０４）、そうでない場合は第３のデジタルチューナ１０１をそのまま視聴に用いる。即ち、受信状態がより良好なデジタルチューナの出力（１３３または１３２）が出力信号選択回路１１３へ供給されるように第２のチューナ切替回路１０７を制御する。ここで、第３のデジタルチューナ１０３のアンテナ１０３ａと第２のデジタルチューナ１０２のアンテナ１０２ａは移動体２００の異なった場所に配置することができるため、同じチャンネルを受信していても受信状態は異なり得る。
【００６２】
ステップ１０１で移動体２００の現在位置が放送サービスエリア２０５、２０７の境界領域内にあると判断された場合、第２のデジタルチューナ１０２は移動体２００の進行方向にある隣接する放送サービスエリア２０７におけるチャンネルをスキャンして、放送サービスエリア２０７の物理チャンネル配置、論理チャンネル配置及びＥＰＧを取得し、チャンネル情報１３８としてチャンネルメモリ１０４に送る（ステップ１０５）。
【００６３】
続いてステップ１０６で制御回路１０８はチャンネルメモリ１０４に保存された放送サービスエリア２０７のチャンネル情報に基づいて、第３のデジタルチューナ１０３で現在受信しているのと同じ番組を放送しているチャンネルが放送サービスエリア２０７にあるか否かを判定する。そのようなチャンネル（例えばＣＨ４００）があった場合、そのチャンネルが選局されるように第２のデジタルチューナ１０２を制御する（ステップ１０７）。第３のデジタルチューナ１０３で現在受信している番組を放送しているチャンネルが放送サービスエリア２０７にない場合は、音声及び／または表示などの適切な出力信号１４１でその旨を利用者に通知する（ステップ１０８）。
【００６４】
ステップ１０９において制御回路１０８は、チャンネルメモリ１０４に保存された放送サービスエリア２０７のチャンネル情報に基づいて、第１のデジタルチューナ１０１で現在受信しているのと同じ番組を放送しているチャンネルが放送サービスエリア２０７にあるか否かを判定する。そのようなチャンネル（例えばＣＨ３００）があった場合、そのチャンネル情報をメモリ１４０に記憶する（ステップ１１０）。第１のデジタルチューナ１０１で現在受信している番組を放送しているチャンネルが放送サービスエリア２０７にない場合は、音声及び／または表示などの適切な出力信号１４１でその旨を利用者に通知する（ステップ１１１）。尚、現在録画中の番組がない場合は、ステップ９〜ステップ１１は省略することができる。
【００６５】
ステップ１１２において、制御回路１０８は、移動体２００が放送サービスエリア２０５から隣接する放送サービスエリア２０７に移動したか否かを判定する。これは、例えば第３のデジタルチューナ１０３からの受信情報１３６と第２のデジタルチューナ１０２からの受信情報１３５とを比較することによってなすことができる。
【００６６】
第２のデジタルチューナ１０２の方が受信状態が良好な場合、移動体２００が放送サービスエリア２０５から放送サービスエリア２０７に移動したものと判断して、ステップ１１３で視聴用チューナを第３のデジタルチューナ１０３から第２のデジタルチューナ１０２へ切り替える。また同時に、録画用に用いられている第１のデジタルチューナ１０１の受信チャンネルをステップ１１０でメモリ１４０に保存したチャンネル（例えばＣＨ３００）に切り替える。尚、ステップ１０６及び／またはステップ１０９において所望のチャンネルが放送サービスエリア２０７になかった場合は、ステップ１１３における視聴に用いるチューナの切り替え及び／または第１のデジタルチューナ１０１の受信チャンネルの切り替えを行わないものとすることができる。
【００６７】
ステップ１０４またはステップ１１３において視聴に用いるデジタルチューナが第３のデジタルチューナ１０３から第２のデジタルチューナ１０２に切り替えられると、今度は第３のデジタルチューナ１０３が隣接する放送サービスエリアのチャンネル情報を取得するのに用いられる。従ってこの実施例では、第３のデジタルチューナ１０３と第２のデジタルチューナ１０２は交互に役割を替えて動作する。
【００６８】
上記したように、視聴優先モードでは、隣接する放送サービスエリア２０５、２０７の境界領域において、車両の移動先にある放送サービスエリア２０７におけるチャンネル情報を予め取得し、視聴に用いられているデジタルチューナ１０１で受信している番組と同じ番組を放送している隣接放送サービスエリア２０７のチャンネルを現在視聴に用いられていないデジタルチューナ１０２で選局する。これによって、車両２００が現在の放送サービスエリア２０５から隣接する放送サービスエリア２０７に移動したと判断されたとき、視聴に用いるデジタルチューナを隣接放送サービスエリアのチャンネルを選局済みのデジタルチューナ１０２に切り替えて実質的にシームレスな番組の視聴を行うことができる。また、取得した隣接放送サービスエリア２０７のチャンネル情報に基づき、録画用デジタルチューナ１０３が隣接放送サービスエリアで受信すべきチャンネルを予め特定することもできる。これによって、車両２００が現在の放送サービスエリア２０５から隣接放送サービスエリア２０７に移動したと判断されたとき、新たにチャンネルスキャンをすることなく、録画用デジタルチューナ１０３のチャンネルを切り替え、概ねシームレスに番組の録画を行うことが可能となる。また、３つのデジタルチューナ１０１、１０２、１０３しか有さないことから構造を単純化でき小型のデジタル放送受信記録再生装置を実現することができる。
【００６９】
予約録画
上記のようなデジタル放送受信記録再生装置１００の録画優先モードまたは視聴優先モードにおける動作は、実際に番組を録画している場合だけでなく、録画予約をしている場合にも適用可能である。即ち、放送サービスエリアの境界領域において車両２００の進行先の隣接する放送サービスエリア２０７のチャンネル情報を取得した後、制御回路１０８は、メモリ１４０に保存されている予約内容に定められている番組を放送する放送サービスエリア２０７のチャンネルや時間を特定し、隣接する放送サービスエリア２０７に移動したと判断されると予約内容を書き換える。隣接する放送サービスエリア２０７において予約内容に設定された番組が放送されない場合は、出力信号１４１によってその旨を利用者に伝える。隣接する放送サービスエリア２０７において録画したい番組を放送するチャンネルがない場合、例えば隣接する放送サービスエリア２０７に入る直前（例えば５分前や１ｋｍ手前）に利用者に通知することができる。
【００７０】
ナビゲーションシステムなどによって利用者が目的地の設定を行うような場合に、その目的地の放送サービスエリアのチャンネル情報を予め知ることができ、録画予約されている番組がその目的地の放送サービスエリアでは放送されないことがわかる場合は、目的地設定時にその旨利用者に通知することもできる。
【００７１】
本発明を実施例に基づいて詳細に説明したが、上記実施例はあくまでも例示であって本発明は実施例によって限定されるものではない。当業者であれば特許請求の範囲によって定められる本発明の技術的思想を逸脱することなく様々な変形若しくは変更が可能であることは言うまでもない。
【００７２】
例えば、上記実施例ではデジタル放送受信記録再生装置１００は、録画優先モードと視聴優先モードの両方が可能なように第１のチューナ切替回路１０６と第２のチューナ切替回路１０７の両方を有しているが、一方のモードしか有さなくてもいい場合は、第１のチューナ切替回路１０６と第２のチューナ切替回路１０７の一方を除去してもよい。また、制御回路１０８が、隣接する放送サービスエリア２０７において録画用及び視聴用デジタルチューナ（例えばデジタルチューナ１０１、１０３）が選択すべきチャンネルの特定のみを行い、非使用中のデジタルチューナ（例えばデジタルチューナ１０２）による特定されたチャンネルの選局を行わず、隣接する放送サービスエリア２０７内に移動体２００が移動した場合、録画用及び視聴用デジタルチューナ１０１、１０３がそれぞれの予め特定されたチャンネルを受信するようにすることもできる。この場合、第１及び第２のチューナ切替回路１０６、１０７の両方を除去することが可能である。
【産業上の利用可能性】
【００７３】
以上述べた様に、本発明によれば、番組の視聴と録画（信号記録）が同時に可能であり且つ放送サービスエリア間を移動しても番組を継続的に受信可能な小型で単純な構造のデジタル放送受信装置が提供され、従って、本発明の産業上の利用可能性は大である。
【図面の簡単な説明】
【００７４】
【図１】本発明に基づくデジタル放送受信記録再生装置の実施例を示すブロック図。
【図２】本発明に基づくデジタル放送受信記録再生装置が用いられる状況の例として２つの送信局が周囲にある場合を示す模式図。
【図３】録画優先モードにおける本発明のデジタル放送受信記録再生装置の動作を示すフローチャート。
【図４】視聴優先モードにおける本発明のデジタル放送受信記録再生装置の動作を示すフローチャート。
【符号の説明】
【００７５】
１００  デジタル放送受信記録再生装置
１０１ａ、１０２ａ、１０３ａ  アンテナ
１０１、１０２、１０３  第１、第２及び第３のデジタルチューナ
１０５  位置測定回路
１０６  第１のチューナ切替回路
１０７  第２のチューナ切替回路
１０８  制御回路
１０９  記録器
１１０  記録メディア
１１１  再生器
１１２  信号処理回路
１１３  出力信号選択回路
１３１、１３２、１３３  デジタル信号
１３４、１３５、１３６  第１、第２及び第３の受信情報
１３７、１３８、１３９  第１、第２、第３のチャンネル情報
１４０  メモリ
１４１  出力信号
２００  移動体
２０１、２０２  送信局
２０４  送信局２０１から送信される電波の有効受信範囲
２０５  送信局２０１の放送サービスエリア
２０６  送信局２０２から送信される電波の有効受信範囲
２０７  送信局２０２の放送サービスエリア
【図１】
2006304073.tif 000003
【図２】
2006304073.tif 000004
【図３】
2006304073.tif 000005
【図４】
2006304073.tif 000006